(57)【要約】      （修正有）【課題】扁平状態にすることができると共に紙コップ等の外周面に印刷されている宣伝広告文字、キャッチコピー、絵柄等等を読んだり見たりすることができるコップホルダーを提供する。【解決手段】コップホルダー１０は透明な合成樹脂製シート１２で形成されている。このコップホルダー１０のコップ保持体１４は漏斗筒状に形成されている。コップ保持体１４の中間部には折線が形成されている。このコップ保持体１４の一端部には区画線を介して台形状の把持体一端部形成体２０が連続形成され、コップ収容保持体１４の他端部には台形状の把持体他端部形成体２２が連続形成されている。この把持体一端部形成体２０と把持体他端部形成体２２を接着して台形状の把持体２４が形成されている。【選択図】図１
0003181952.tif 000002
【実用新案登録請求の範囲】
【請求項１】
コップを保持する漏斗筒状のコップ保持体と、このコップ保持体に連続形成された把持体を備えてなるコップホルダーであって、透明な合成樹脂製シートで漏斗筒状に形成されたコップ保持体と、この前記コップ保持体の中間部に形成された折線と、前記コップ保持体の一端部に連続形成された把持体一端部形成体と、前記コップ保持体の他端部に連続形成された把持体他端部形成体と、前記把持体一端部形成体と前記把持体他端部形成体を重ね合わせて形成された把持体と、を有してなることを特徴とするコップホルダー。
【請求項２】
コップを保持する筒状のコップ保持体と、このコップ保持体に連続形成された把持体を備えてなるコップホルダーであって、コップ保持体の中間部を形成すると共に透明で伸縮性を有する合成樹脂製シートで形成された保持体中間部形成体と、この保持体中間部形成体の一端部に連続形成されると共に透明な合成樹脂製シートで形成されて前記コップ保持体の一端部を形成する保持体一端部形成体と、前記保持体中間部形成体の他端部に連続形成されると共に透明な合成樹脂製シートで形成されて前記コップ保持体の他端部を形成する保持体他端部形成体と、前記保持体一端部形成体に連続形成されると共に透明な合成樹脂製シートで形成された把持体一端部形成体と、前記保持体他端部形成体に連続形成されると共に透明な合成樹脂製シートで形成された把持体他端部形成体と、前記把持体一端部形成体と前記把持体他端部形成体を接着して形成された把持体と、を有してなることを特徴とするコップホルダー。
【請求項３】
コップを保持する筒状のコップ保持体と、このコップ保持体に連続形成された把持体を備えてなるコップホルダーであって、コップ保持体を形成すると共に透明で伸縮性を有する合成樹脂製シートで形成された保持体中間部形成体と、この保持体中間部形成体の一端部に連続形成されると共に透明な合成樹脂製シートで形成された保持体一端部第１形成体と、この保持体一端部第１形成体に連続形成されると共に透明な合成樹脂製シートで形成された把持体一端部第１形成体と、この把持体一端部第１形成体に連続形成されると共に透明な合成樹脂製シートで形成された把持体一端部第２形成体と、この把持体一端部第２形成体に連続形成されると共に透明な合成樹脂製シートで形成された保持体一端部第２形成体と、前記保持体中間部形成体の他端部に連続形成されると共に透明な合成樹脂製シートで形成された保持体他端部第１形成体と、この保持体他端部第１形成体に連続形成されると共に透明な合成樹脂製シートで形成された把持体他端部第１形成体と、この把持体他端部第１形成体に連続形成されると共に透明な合成樹脂製シートで形成された把持体他端部第２形成体と、この把持体他端部第２形成体に連続形成されると共に透明な合成樹脂製シートで形成された保持体他端部第２形成体と、前記保持体一端部第１形成体と保持体一端部第２形成体が接着されて形成された保持体一端部形成体と、前記把持体一端部第１形成体と把持体一端部第２形成体が接着されて形成された把持体一端部形成体と、前記保持体他端部第１形成体と保持体他端部第２形成体が接着されて形成された把持体他端部形成体と、前記把持体他端部第１形成体と把持体他端部第２形成体が接着されて形成された把持体他端部形成体と、前記把持体一端部形成体と前記把持体他端部形成体を接着して形成された把持体と、を有してなることを特徴とするコップホルダー。
【考案の詳細な説明】
【技術分野】
【０００１】
本考案は、紙コップ等のコップを収容してコップを直接持つことなく飲み物等が入ったコップを持つことができるコップホルダーに関する。
【背景技術】
【０００２】
従来よりガラス製や陶器製のコップ等に比べて安価で取り扱いが容易であり、しかも使い捨てができる紙コップ等は屋外やオフィス等で多く利用されている。
しかし、紙コップは入っている飲み物の温度が当該紙コップを持っている手に直接伝わり易いため、熱い飲み物が入っている場合は熱くて当該紙コップを持っていられない場合がある。
そこで、紙コップを保持する合成樹脂材で一体成型されたコップホルダーが提案されている。
しかし、このタイプのコップホルダーは折り畳んだりすることができないのでコップホルダーを保管したり運搬したりする場合に嵩張り保管や運搬に適していない。
また、紙で形成したコップホルダーも提案されているが（特許文献１）、紙でコップホルダーを形成すると前記紙コップの外周面に宣伝広告文字、キャッチコピー、絵柄等が印刷されている場合は前記コップホルダーに邪魔されて前記宣伝広告文字、キャッチコピー、絵柄等を読んだり見たりすることができなくなるという不具合がある。
【先行技術文献】
【特許文献】
【０００３】
【特許文献１】特開平７−２１３４０８号
【考案の概要】
【考案が解決しようとする課題】
【０００４】
本考案は、上記事実に鑑みなされたものであり扁平状態にすることができると共に紙コップ等のコップの外周面に印刷されている宣伝広告文字、キャッチコピー、絵柄等等を読んだり見たりすることができるコップホルダーを提供するものである。
【課題を解決するための手段】
【０００５】
請求項１の考案は、コップを保持する漏斗筒状のコップ保持体と、このコップ保持体に連続形成された把持体を備えてなるコップホルダーであって、透明な合成樹脂製シートで漏斗筒状に形成されたコップ保持体と、この前記コップ保持体の中間部に形成された折線と、前記コップ保持体の一端部に連続形成された把持体一端部形成体と、前記コップ保持体の他端部に連続形成された把持体他端部形成体と、前記把持体一端部形成体と前記把持体他端部形成体を重ね合わせて形成された把持体と、を有してなることを特徴としている。
請求項２の考案は、コップを保持する筒状のコップ保持体と、このコップ保持体に連続形成された把持体を備えてなるコップホルダーであって、コップ保持体の中間部を形成すると共に透明で伸縮性を有する合成樹脂製シートで形成された保持体中間部形成体と、この保持体中間部形成体の一端部に連続形成されると共に透明な合成樹脂製シートで形成されて前記コップ保持体の一端部を形成する保持体一端部形成体と、前記保持体中間部形成体の他端部に連続形成されると共に透明な合成樹脂製シートで形成されて前記コップ保持体の他端部を形成する保持体他端部形成体と、前記保持体一端部形成体に連続形成されると共に透明な合成樹脂製シートで形成された把持体一端部形成体と、前記保持体他端部形成体に連続形成されると共に透明な合成樹脂製シートで形成された把持体他端部形成体と、前記把持体一端部形成体と前記把持体他端部形成体を接着して形成された把持体と、を有してなることを特徴としている。
請求項３の考案は、コップを保持する筒状のコップ保持体と、このコップ保持体に連続形成された把持体を備えてなるコップホルダーであって、コップ保持体を形成すると共に透明で伸縮性を有する合成樹脂製シートで形成された保持体中間部形成体と、この保持体中間部形成体の一端部に連続形成されると共に透明な合成樹脂製シートで形成された保持体一端部第１形成体と、この保持体一端部第１形成体に連続形成されると共に透明な合成樹脂製シートで形成された把持体一端部第１形成体と、この把持体一端部第１形成体に連続形成されると共に透明な合成樹脂製シートで形成された把持体一端部第２形成体と、この把持体一端部第２形成体に連続形成されると共に透明な合成樹脂製シートで形成された保持体一端部第２形成体と、前記保持体中間部形成体の他端部に連続形成されると共に透明な合成樹脂製シートで形成された保持体他端部第１形成体と、この保持体他端部第１形成体に連続形成されると共に透明な合成樹脂製シートで形成された把持体他端部第１形成体と、この把持体他端部第１形成体に連続形成されると共に透明な合成樹脂製シートで形成された把持体他端部第２形成体と、この把持体他端部第２形成体に連続形成されると共に透明な合成樹脂製シートで形成された保持体他端部第２形成体と、前記保持体一端部第１形成体と保持体一端部第２形成体が接着されて形成された保持体一端部形成体と、前記把持体一端部第１形成体と把持体一端部第２形成体が接着されて形成された把持体一端部形成体と、前記保持体他端部第１形成体と保持体他端部第２形成体が接着されて形成された把持体他端部形成体と、前記把持体他端部第１形成体と把持体他端部第２形成体が接着されて形成された把持体他端部形成体と、前記把持体一端部形成体と前記把持体他端部形成体を接着して形成された把持体と、を有してなることを特徴としている。
【考案の効果】
【０００６】
本考案のコップホルダーは、使用しない場合は簡単に扁平状態にすることができるので嵩張らず保管する場合や運搬する場合に便利であるという優れた効果を有する。
本考案のコップホルダーは、コップ保持体が透明であるのでコップ保持体に保持されたコップの外周面に記載されている宣伝広告文字、キャッチコピー、絵柄等を読んだり見たりすることができるので、コップの外周面に記載された宣伝広告文字、キャッチコピー、絵柄等を有効利用することができるという優れた効果を有する。
また、請求項２及び請求項３のコップホルダーは、前記優れた効果の他にコップ保持体が筒状に形成されると共に薄い合成樹脂製シートを使用したので、より製造コストを抑えてコップホルダーを提供することができるという優れた効果を有する。
【図面の簡単な説明】
【０００７】
【図１】第１実施例のコップホルダーの使用状態を示す斜視図である。
【図２】第１実施例のコップホルダーを扁平状態にした側面図である。
【図３】第１実施例のコップホルダーの展開図である。
【図４】第２実施例のコップホルダーの使用状態を示す側面図である。
【図５】第２実施例のコップホルダーの展開図である。
【図６】第３実施例のコップホルダーの使用状態を示す側面図である。
【図７】第３実施例のコップホルダーの展開図である。
【考案を実施するための最良の形態】
【０００８】
考案を実施するために最良の形態の例として以下のような実施例を示す。
【実施例１】
【０００９】
図１〜図３には本考案のコップホルダーの第１実施例が示されている。なお、この実施例ではコップホルダーで保持するコップは紙コップ１を例にして説明する。
本考案のコップホルダー１０は無地で透明の合成樹脂製シート１２で一体形成されている。この実施例では合成樹脂製シート１２の肉厚は０．４ｍｍとされている。
図１に示されるように、前記コップホルダー１０のコップ保持体１４は漏斗筒状に形成されている。このコップ保持体１４の上端部１４Ａの内径寸法はコップ保持体１４の下端部１４Ｂの内径寸法より大きく設定されている。また、コップ保持体１４の上端部１４Ａの内径寸法は保持される紙コップ１の上端部１Ａの外径寸法より小さく、紙コップ１の下端部１Ｂの外径寸法より大きく形成されている。また、コップ保持体１４の下端部１４Ｂの内径寸法は保持される紙コップ１の上端部１Ａの外径寸法より小さく、紙コップ１の下端部１Ｂの外径寸法より大きく形成されている。
従って、前記コップ保持体１４は紙コップ１をフィットした状態で収容して保持することができるようになっている。
また、前記コップホルダー１０を形成する合成樹脂製シート１２は透明であるので、コップ保持体１４が紙コップ１を収容保持した場合に紙コップ１の外周面に印刷されている宣伝広告文字、キャッチコピー、絵柄等を外から読んだり見たりすることができる。
図３に示されるように、前記コップ保持体１４の中間部１４Ｃには折線１６が形成されている。このため、図２に示されるように、不使用時にコップホルダー１０のコップ保持体１４を折線１６で折ればコップ保持体１４を簡単に扁平状態にすることができるようになっている。
図３に示されるように、このコップ保持体１４の一端部１４Ｄには区画線１８を介して台形状の把持体一端部形成体２０が連続形成されている。また、コップ保持体１４の他端部１４Ｅには区画線２１を介して台形状の把持体他端部形成体２２が連続形成されている。この把持体一端部形成体２０と把持体他端部形成体２２とは重ね合わされた状態で適宜接着手段を介して接着されて台形状の把持体２４が形成されている。
従って、図１に示されるようにコップ保持体１４に連続して台形状の把持体２４が形成されている。
【００１０】
次に、第１実施例のコップホルダー１０を使用する場合を例にしてコップホルダー１０の作用を説明する。
図１に示されるように、紙コップ１をコップホルダー１０のコップ保持体１４に挿入することにより、紙コップ１はコップ保持体１４に収容されて保持される。
コップホルダー１０にはコップ保持体１４から突設した状態で把持体２４が形成されているので、熱い飲み物が紙コップ１に入っていても把持体２４を手の指等で摘むことにより飲み物の熱さが手の指に伝わらない。
従って、本考案のコップホルダー１０を使用すれば熱い飲み物が入っている紙コップ１でも容易に持つことができる。
また、コップホルダー１０を形成する合成樹脂製シート１２は透明であるので、コップ保持体１４に収容保持した紙コップ１の外周面に印刷されている宣伝広告文字、キャッチコピー、絵柄等を外から読んだり見たりすることができるので紙コップ１の外周面に記載されている広告宣伝文字等からの情報を有効利用することができる。
また、前記コップ保持体１４の中間部１４Ｃには折線１６が形成されているため、コップ保持体１４を簡単に扁平状態にすることができる。
従って、簡単に本考案のコップホルダー１０を扁平状態ですることができるので、コップホルダー１０を保管、運搬する場合にコップホルダー１０は嵩張らないので保管、運搬に便利である。
【００１１】
図４〜図５にはコップホルダーの第２実施例が示されている。なお、第１実施例のコップホルダー１０と同一の構成は同一の符号を用いてその説明は省略する。
図５に示されるように、第２実施例のコップホルダー３０のコップ保持体３２（図４参照）は無地で透明で薄い合成樹脂製シート３４で形成された帯状の保持体中間部形成体３６と、この保持体中間部形成体３６の一端部に区画線３７を介して連続形成された無地で透明な合成樹脂製シート３８で形成された保持体一端部形成体４０と、前記保持体中間部形成体３６の他端部に区画線４１を介して連続形成された合成樹脂製シート３８で形成された保持体他端部形成体４２と、から構成されている。この実施例では前記合成樹脂製シート３４の肉厚寸法は２０μと極めて薄く形成されているために合成樹脂製シート３４は伸縮性を有している。一方、前記合成樹脂製シート３８の肉厚寸法は０．４ｍｍに形成されている。
図４に示されるように、前記コップ保持体３２は円筒状で、コップ保持体３２の上端部３２Ａの内径寸法と下端部３２Ｂの内径寸法は同一寸法になっている。また、コップ保持体３２の上端部３２Ａの内径寸法と下端部３２Ｂの内径寸法は収容保持される紙コップ１の上端部１Ａの外径寸法より小さく、紙コップ１の下端部１Ｂの外径寸法より大きく形成されている。
図５に示されるように、前記保持体一端部形成体４０には前記合成樹脂製シート３８で形成された台形状の把持体一端部形成体４４が区画線４５を介して連続形成されている。また、前記保持体他端部形成体４２には前記合成樹脂製シート３８で形成された台形状の把持体他端部形成体４６が区画線４７を介して連続形成されている。
図４に示されるように、前記把持体一端部形成体４４と前記把持体他端部形成体４６は重なって適宜接着手段により接着されて台形状の把持体４８が形成されている。従って、コップ保持体３２に連続して台形状の把持体４８が形成される。
第２実施例のコップホルダー３０はコップ保持体３２を構成する合成樹脂製シート３４は薄いため伸縮性を有しているのでコップ保持体３２の内径寸法を収容保持する紙コップ１の下端部１Ｂの外径寸法より少し大きく形成すれば紙コップ１を挿入して収容した場合に合成樹脂製シート３４が伸びることにより図４に示すようにフィットした状態で紙コップ１を保持することができる。
従って、第２実施例のコップホルダー３０はコップ保持体３２をシンプルな形状の円筒状に形成できるのでコップ保持体を漏斗筒状に形成する場合に比べて製造コストを抑えることができる。
また、コップホルダー３０はコップ保持体３２の保持体中間部形成体３６を薄い合成樹脂製シート３４で形成しているので、材料費を抑えて製造コストを抑えることができ、これによりコップホルダー３０の提供価格を抑えることができる。
なお、前記コップ保持体３２の保持体中間部形成体３６は薄い合成樹脂製シート３４で形成されているが、この保持体中間部形成体３６の一端部には合成樹脂製シート３４よりも厚い合成樹脂製シート３８で形成された保持体一端部形成体４０が設けられ他端部には保持体他端部形成体４２が設けられているので、コップ保持体３２に飲み物が入った紙コップ１を入れても飲み物の重みでコップ保持体３２が横ブレしたり縦ブレしたりすることを抑えることができ、安定して紙コップ１を保持できる。
なお、他の構成及び作用、効果は第１実施例のコップホルダー１０と同一であるのでその説明は省略する。
【００１２】
図６〜図７にはコップホルダーの第３実施例が示されている。なお、第１実施例のコップホルダー１０、第２実施例のコップホルダー３０と同一の構成は同一の符号を用いてその説明は省略する。
図７に示されるように、第３実施例のコップホルダー５０のコップ保持体５２の中間部は合成樹脂製シート３４で形成された帯状の保持体中間部形成体３６によって形成されている。この保持体中間部形成体３６の一端部には区画線５４を介して保持体一端部第１形成体５６が連続形成されている。この保持体一端部第１形成体５６には区画線５８を介して台形状の把持体一端部第１形成体６０が連続形成されている。この把持体一端部第１形成体６０には区画線６２を介して台形状の把持体一端部第２形成体６４が連続形成されている。この把持体一端部第２形成体６４には区画線６６を介して保持体一端部第２形成体６８が連続形成されている。
また、前記保持体中間部形成体３６の他端部には区画線７０を介して保持体他端部第１形成体７２が連続形成されている。この保持体他端部第１形成体７２には区画線７４を介して台形状の把持体他端部第１形成体７６が連続形成されている。この把持体他端部第１形成体７６には区画線７８を介して台形状の把持体他端部第２形成体８０が連続形成されている。この把持体他端部第２形成体８０には区画線８２を介して保持体他端部第２形成体８４が連続形成されている。
前記保持体一端部第１形成体５６、把持体一端部第１形成体６０、把持体一端部第２形成体６４、保持体一端部第２形成体６８、保持体他端部第１形成体７２、把持体他端部第１形成体７６、把持体他端部第２形成体８０、保持体他端部第２形成体８４は無地で透明な肉厚寸法が０．２ｍｍの合成樹脂製シート８６で形成されている。
前記保持体一端部第１形成体５６と保持体一端部第２形成体６８が接着されて保持体一端部形成体９０が形成され、前記把持体一端部第１形成体６０と把持体一端部第２形成体６４が接着されて把持体一端部形成体９２（図６参照）が形成されている。
また、前記保持体他端部第１形成体７２と保持体他端部第２形成体８４が接着されて保持体他端部形成体９４が形成され、前記把持体他端部第１形成体７６と把持体他端部第２形成体８０が接着されて把持体他端部形成体９６（図６参照）が形成されている。
そして、前記把持体一端部形成体９２と前記把持体他端部形成体９６を接着することにより前記コップ保持体５２に突出して把持体９８（図６参照）が形成されている。
従って、保持体一端部形成体９０と保持体他端部形成体９４は肉厚寸法が０．２ｍｍという薄い合成樹脂製シート８６で形成されているが合成樹脂製シート８６を重ね合わせて形成しているためカップ保持体５２に飲み物が入った紙コップ１を入れても飲み物の重みでコップ保持体５２が横ブレしたり縦ブレしたりすることを抑えることができる。
また、前記把持体９８も肉厚寸法が０．２ｍｍという薄い合成樹脂製シート８６で形成されているが、把持体９８は合成樹脂製シート８６を重ね合わせて形成されているためカップ保持体５２に飲み物が入った紙コップ１を入れても安定して紙コップ１を保持できる。
しかも、前記保持体一端部８８、保持体他端部９０、把持体９２が共に肉厚寸法が０．２ｍｍという薄い合成樹脂製シート８６で形成されているため材料費を一段と抑えることができるので製造コストを抑えてコップホルダー５０の提供価格を一段と抑えることができる。
【００１３】
なお、実施例では文字や絵柄等が印刷されていない無地で透明の合成樹脂製シート１２、合成樹脂製シート３４、合成樹脂製シート３８、合成樹脂製シート８６を示したが、前記合成樹脂製シート１２、合成樹脂製シート３４、合成樹脂製シート３８、合成樹脂製シート８６は透明であれば文字や模様等を印刷してもよい。
この場合、コップ保持体１４、コップ保持体３２、コップ保持体５２には印刷された文字や模様等が表れる。このため、宣伝広告文字、キャッチコピー、絵柄等を外周面に印刷した紙コップでなくて外周面に印刷を宣伝広告文字、キャッチコピー、絵柄等を全く印刷していない安価な紙コップを使用することができるというメリットを有する。
【００１４】
なお、前記実施例ではコップとして紙コップ１を使用した場合を示したが、コップは紙コップ１に限定されるものではなく例えばプラスチック製コップ等でもよいことは勿論である。
また、実施例２ではコップ保持体３２を、図３実施例ではコップ保持体５２を円筒形状に形成したが、コップ保持体３２、コップ保持体５２を漏斗筒状に形成してもよい。
なお、実施例では把持体２４，４８，９８を台形状に形成したが把持体の形状は台形状に限定されないことは勿論である。
また、第１実施例では合成樹脂製シート１２の肉厚寸法を０．４ｍｍに設定したが、合成樹脂製シート１２の肉厚寸法はこれに限定されるものでないことは勿論である。
また、第２実施例では合成樹脂製シート３４の肉厚寸法を２０μに、合成樹脂製シート３８の肉厚寸法を０．４ｍｍに設定したが、合成樹脂製シート３４及び合成樹脂製シート３８の肉厚寸法はこれに限定されるものでないことは勿論である。
また、第３実施例では合成樹脂製シート３４の肉厚寸法を２０μに、合成樹脂製シート８６の肉厚寸法を０．２ｍｍに設定したが、合成樹脂製シート３４及び合成樹脂製シート８６の肉厚寸法はこれに限定されるものでないことは勿論である。
なお、実施例では透明な合成樹脂製シート１２、透明な合成樹脂製シート３４、透明な合成樹脂製シート３８、透明な合成樹脂製シート８６を示したが、透明であれば赤色や青色等の色彩を施した有色透明でも、色彩を全く施していない無色透明でもよいことは勿論である。
【産業上の利用可能性】
【００１５】
本考案のコップホルダーは、屋外やオフィス等以外でも使用することもできる。
【符号の説明】
【００１６】
１０    コップホルダー
１２    合成樹脂製シート
１４    コップ保持体
１６    折線  
１８    区画線
２０    把持体一端部形成体
２１    区画線
２２    把持体他端部形成体
２４    把持体
【図１】
0003181952.tif 000003
【図２】
0003181952.tif 000004
【図３】
0003181952.tif 000005
【図４】
0003181952.tif 000006
【図５】
0003181952.tif 000007
【図６】
0003181952.tif 000008
【図７】
0003181952.tif 000009